(57)【特許請求の範囲】
【請求項１】
シャーシと、
前記シャーシに係合されて、前記シャーシ内に収容可能な第一部品スレッドと、
前記第一部品スレッドの前部に設置されるファンモジュールと、
前記第一部品スレッドの上方と前記ファンモジュールの後部に設置され、前記シャーシに係合され、且つ前記シャーシ内に収容可能な第二部品スレッドと、
を備え、
前記第一部品スレッド及び前記第二部品スレッドは、展開位置と収納位置との間にそれぞれ移動可能であり、前記展開位置において、前記第一部品スレッド及び前記第二部品スレッドの少なくとも一部が前記シャーシの外部にあり、前記収納位置において、前記第一部品スレッド及び前記第二部品スレッドが前記シャーシの内部に実質的に収容され、
前記第一部品スレッド及び前記第二部品スレッドが前記収納位置にある時、
前記第一部品スレッドが前記展開位置へ変位する場合、前記第二部品スレッドが移動せずに、前記ファンモジュールを前記シャーシから移動させ、前記第二部品スレッドが前記展開位置へ変位する場合、前記第一部品スレッドを前記展開位置へ移動させ、
前記第一部品スレッドが前記展開位置にある時、前記第二部品スレッドの位置に関係なく、前記ファンモジュールは上方からアクセス可能であることを特徴とする、部品搬送装置。
【請求項２】
前記第一部品スレッド及び前記第二部品スレッドは、前記展開位置と前記収納位置との間にそれぞれ変位されることを特徴とする、請求項１に記載の部品搬送装置。
【請求項３】
前記ファンモジュールは、前記第一部品スレッドと前記第二部品スレッドとにそれぞれ接続されるように構成されることを特徴とする、請求項１または請求項２に記載の部品搬送装置。
【請求項４】
前記ファンモジュールは、複数のファンを収容するように構成されることを特徴とする、請求項１〜請求項３のうちのいずれか１つに記載の部品搬送装置。
【請求項５】
前記第一部品スレッドと前記第二部品スレッドは、複数のハードディスクドライブを収容するように構成されることを特徴とする、請求項１〜請求項４のうちのいずれか１つに記載の部品搬送装置。
【請求項６】
前記部品搬送装置は、前記第一部品スレッド及び前記第二部品スレッドの部品の故障を検出して判定するように構成されるスレッド自動制御装置をさらに含むことを特徴とする、請求項１〜請求項５のうちのいずれか１つに記載の部品搬送装置。
【請求項７】
１つまたは複数の部品搬送装置を備えるサーバラック組立体であって、
前記部品搬送装置は、シャーシを備え、
前記シャーシは、
前記シャーシに係合されて、前記シャーシ内に収容可能な第一部品スレッドと、
前記第一部品スレッドの前部に設置されるファンモジュールと、
前記第一部品スレッドの上方と前記ファンモジュールの後部に設置され、前記シャーシに係合され、且つ前記シャーシ内に収容可能な第二部品スレッドと、
を備え、
前記第一部品スレッド及び前記第二部品スレッドは、展開位置と収納位置との間にそれぞれ移動可能なものであり、前記展開位置において、前記第一部品スレッド及び前記第二部品スレッドの少なくとも一部が前記シャーシの外部にあり、前記収納位置において、前記第一部品スレッド及び前記第二部品スレッドが前記シャーシの内部に実質的に収容され、
前記第一部品スレッド及び前記第二部品スレッドが前記収納位置にある時、
前記第一部品スレッドが前記展開位置へ変位することにより、前記第二部品スレッドが移動せずに、前記ファンモジュールを前記シャーシから移動させ、前記第二部品スレッドが前記展開位置へ変位することにより、前記第一部品スレッドを前記展開位置へ移動させ、
前記第一部品スレッドが前記展開位置にある時、前記第二部品スレッドの位置に関係なく、前記ファンモジュールは上方からアクセス可能であることを特徴とする、サーバラック組立体。
【請求項８】
前記第一部品スレッド及び前記第二部品スレッドは、前記展開位置と前記収納位置との間にそれぞれ変位されることを特徴とする、請求項７に記載のサーバラック組立体。
【請求項９】
前記サーバラック組立体は、前記第一部品スレッド及び前記第二部品スレッドの部品の故障を検出して判定するように構成されるスレッド自動制御装置をさらに含むことを特徴とする、請求項７または請求項８に記載のサーバラック組立体。
【請求項１０】
シャーシと
前記シャーシに係合されて、且つ前記シャーシ内に収容可能な第一部品スレッドと、
前記第一部品スレッドの前部に設置されるファンモジュールと、
前記第一部品スレッドの上方と前記ファンモジュールの後部に設置され、前記シャーシに係合され、且つ前記シャーシ内に収容可能な第二部品スレッドと、
を備え、
前記第一部品スレッド及び前記第二部品スレッドは、展開位置と収納位置との間にそれぞれ移動可能であり、前記展開位置において、前記第一部品スレッド及び前記第二部品スレッドの少なくとも一部が前記シャーシの外部にあり、前記収納位置において、前記第一部品スレッド及び前記第二部品スレッドが前記シャーシの内部に実質的に収容され、
前記第一部品スレッド及び前記第二部品スレッドが前記収納位置にある時、
前記第一部品スレッドを前記展開位置へ変位することにより、前記第二部品スレッドが移動せずに、前記ファンモジュールを前記シャーシから移動させ、前記第二部品スレッドが前記展開位置へ変位する場合、前記第一部品スレッドが移動せず、
前記第一部品スレッドが前記展開位置にある時、前記第二部品スレッドの位置に関係なく、前記ファンモジュールは上方からアクセス可能であることを特徴とする、部品搬送装置。
【発明の詳細な説明】
【技術分野】
【０００１】
本発明は、一種の部品搬送装置に関し、特に、保守可能なファンモジュールを有する部品搬送装置に関するものである。
【背景技術】
【０００２】
現在のサーバラックは、複数の部品を有する部品搬送装置を収容し、複数の部品の後ろに冷却モジュールが提供されるように構成される。サーバラックは、部品搬送装置内に収容される部品の保守性（ｓｅｒｖｉｃｅａｂｉｌｉｔｙ）を提供することができるが、冷却モジュールは、サーバラックから部品を取り外して修理を行うしかないので、部品搬送装置の電源を切断する必要がある。
【発明の概要】
【０００３】
部品搬送装置は、シャーシと、シャーシに係合されてシャーシに収容可能な第一部品スレッド（ｆｉｒｓｔ  ｃｏｍｐｏｎｅｎｔ  ｓｌｅｄ）と、第一部品スレッドの前端に設置されたファンモジュールと、第一部品スレッドの上方とファンモジュールの後部に設置され、シャーシに係合され、且つその内に収容可能な第二部品スレッドとを備える。第一部品スレッド及び第二部品スレッドは、展開位置と収納位置との間にそれぞれ移動可能である。展開位置において、各部品スレッドの少なくとも一部がシャーシの外部にあり、収納位置において、各部品スレッドがシャーシの内部に実質的に収容される。
【０００４】
第一部品スレッドが収納位置から展開位置へ変位する時、第二部品スレッドが移動せずに、ファンモジュールをシャーシから移動させる。第二部品スレッドが収納位置から展開位置へ変位する時、第一部品スレッドも展開位置へ変位する。第一部品スレッドが展開位置にある時、第二部品スレッドの位置に関係なく、ファンモジュールは上方からアクセスすることができる。
【０００５】
第一部品スレッドと第二部品スレッドは、展開位置と収納位置との間にそれぞれ変位することができる。ファンモジュールは第一部品スレッドと第二部品スレッドとにそれぞれ接続されることができる。ファンモジュールは、複数のファンを収容するように構成される。複数のファンのそれぞれはホットスワップ可能（ｈｏｔ  ｓｗａｐｐａｂｌｅ）なものであってもよい。
【０００６】
各第一部品スレッド及び第二部品スレッドは、複数のハードディスクドライブを収容するように構成されることができる。シャーシは、第一部品スレッドと第二部品スレッドの部品の故障を検出して判定するように構成されるスレッド自動制御装置（ｓｌｅｄ  ａｕｔｏ  ｃｏｎｔｒｏｌ）を有する。
【０００７】
本発明に係る各実施例について、添付図面を参照して説明する。
【図面の簡単な説明】
【０００８】
【図１】図１は、収納位置（ｗｉｔｈｄｒａｗｎ  ｐｏｓｉｔｉｏｎ）における部品搬送装置の例示的な実施例を示す等角図である。
【図２】図２は、展開位置における、ファンモジュールと、ファンモジュールに接続される第一部品スレッドとを備える部品搬送装置の例示的な実施例を示す等角図である。
【図３】図３は、展開位置における、ファンモジュールと、ファンモジュールに接続される第一部品スレッド及び第二部品スレッドとを備える部品搬送装置の例示的な実施例を示す等角図である。
【図４】図４は、ファンモジュールから取り外すファンを備える部品搬送装置の例示的な実施例を示す分解図である。
【図５】図５は、枢動可能なファンモジュール（ｐｉｖｏｔａｌ  ｆａｎ  ｍｏｄｕｌｅ）を有する部品搬送装置を示す等角図である。
【発明を実施するための形態】
【０００９】
説明の単純さ及び明瞭さのために、適当な場合において、異なる図面で繰り返される参照符号は対応または類似する要素を示すものであると理解されるであろう。さらに、本文に述べる実施例を十分に理解するために、多数の具体的詳細が記載されている。しかしながら、当業者であれば、本文に述べる実施例はこれらの具体的詳細なしでも実施できることを理解されるであろう。他の実施例において、ここで説明された本発明に関連する技術的特徴が不明瞭にならないために、他の方法、手順及び部品の詳細は記述されていない。これらの図面は、必ずしも一定の縮尺比で描かれているとは限らず、本発明の詳細及び特徴をより明確に説明するために、いくつかの部分の縮尺比を拡大する場合がある。本明細書は、本文に述べる実施例の範囲に限定されるものと見なすべきではない。
【００１０】
本明細書全体を通して用いられるいくつかの定義について、ここに示す。
【００１１】
用語「連結（ｃｏｕｐｌｅｄ）」は、直接的または介装部品を経由して間接的に連結したものと定義され、かつ物理的な連結に限定されない。ここでの連結というのは、物体を恒久的に連結または脱着自在に連結してもよい。用語「実質的に」は、部品を精確に形成する必要はなく、基本的に特定の寸法、形状または他の実質的に修飾した単語に合致していると定義される。例を挙げて言えば、実質的な円柱形とは、円柱体に類似することを指すが、真の円柱体と幾つかの差異が許容される。用語「含む」は、「含むが、それに限定されるものではない」を指し、特に、そのように記述されている組み合わせ、グループ、系列などの部品関係を指すオープンエンドインクルージョンである。
【００１２】
本発明に係る部品搬送装置は、シャーシと、シャーシに係合されてシャーシ内に収容可能な第一部品スレッドと、第一部品スレッドの前部に設置されるファンモジュールと、第一部品スレッドの上方とファンモジュールの後部に係合され、シャーシ内に収容可能な第二部品スレッドとを備える。第一部品スレッド及び第二部品スレッドは、いずれも展開位置と収納位置との間に変位することができる。展開位置では、各部品スレッドの少なくとも一部がシャーシの外部にあり、収納位置では、各部品スレッドがシャーシの内部に実質的に収容される。第一部品スレッドが収納位置から展開位置へ変位する場合、第二部品スレッドが移動せずに、シャーシからファンモジュールを移動させる。第二部品スレッドが収納位置から展開位置へ変位する場合、第一部品スレッドを展開位置に移動させる。１つ又は複数の部品搬送装置は、サーバラック組立体内に収容される。
【００１３】
図１〜３は、第一部品スレッド１０４と、第二部品スレッド１０６とを収容するように配置されるシャーシ１０２を備える部品搬送装置１００を示す図面である。シャーシ１０２は、第一部品スレッド１０４と第二部品スレッド１０６を摺動的に収容することができる。各部品スレッド１０４、１０６は、収納位置と展開位置との間にそれぞれ変位することができる。
【００１４】
第一部品スレッド１０４及び第二部品スレッド１０６は、それぞれ１つまたは複数の部品１０８を収容するように構成される。１つまたは複数の部品１０８はハードディスクドライブ及び／またはソリッドステートドライブなどの記憶装置である。他の実施形態では、１つまたは複数の部品１０８はグラフィック処理ユニット、コンピュータ処理ユニット、または部品スレッド１０４、１０６内に収容される任意の電子部品であってもよいが、本発明は部品１０８の性質に限定されない。
【００１５】
シャーシ１０２は、シャーシ１０２内の部品の故障を検出するように構成されるスレッド自動制御装置１１４を有する。スレッド自動制御装置１１４は、シャーシ１０２の内の１つまたは複数の部品１０８の故障を判定することができ、その故障は、第一部品スレッド１０４と第二部品スレッド１０６との間に位置される特定部品の故障が含まれるが、これに限定されない。スレッド自動制御装置１１４は、故障した部品１０８が第一部品スレッド１０４又は第二部品スレッド１０６に位置され、もしくは故障した部品１０８が第一部品スレッド１０４及び第二部品スレッド１０６の両方に位置されることを識別することができる。
【００１６】
スレッド自動制御装置１１４は、１つまたは複数の電気制御ラッチ部（ｅｌｅｃｔｒｉｃａｌｌｙ  ｃｏｎｔｒｏｌｌｅｄ  ｌａｔｃｈ）１１６を有する。電気制御ラッチ部１１６は、シャーシ１０２に接続され、且つ第一部品スレッド１０４及び第二部品スレッド１０６に選択的に接続されるように構成される。スレッド自動制御装置１１４は、識別された故障位置によって電気制御ラッチ部１１６に選択的に接続される。少なくとも１つの実施例では、スレッド自動制御装置１１４が第一部品スレッド１０４に故障を検出する場合、電気制御ラッチ部１１６が解放され、第一部品スレッド１０４だけがシャーシ１０２から取り外される。スレッド自動制御装置１１４が第二部品スレッド１０６に故障を検出する場合、電気制御ラッチ部１１６が第一部品スレッド１０４と第二部品スレッド１０６とを係合してロックすることにより、シャーシ１０２から取り外されるとき、第一部品スレッド１０４と第二部品スレッド１０６が一緒に取り外される。
【００１７】
他の実施形態では、電気制御ラッチ部１１６は、第一部品スレッド１０４、第二部品スレッド１０６及びそれらの組合せを移動させることができるように、第一部品スレッド１０４及び第二部品スレッド１０６に選択的に接続される２つまたは複数のラッチである。
【００１８】
電気制御ラッチ部１１６は、中央ボード（ｃｅｎｔｒａｌ  ｂｏａｒｄ）１１８により、あるいは各部品スレッド１０４、１０６から給電（ｆｅｄ）される。中央ボード１１８は、プリント回路基板、フレキシブル回路基板、または他の既知の電気基板であってもよい。中央ボード１１８は、プロセッサー、マイクロプロセッサー、記憶媒体、非一時的記憶媒体、またはそれらの任意の組み合わせを有することができる。
【００１９】
図１に示されるように、第一部品スレッド１０４と第二部品スレッド１０６とがシャーシ１０２に実質的に収容される収納位置である。
【００２０】
図２に示されるように、第一部品スレッド１０４が展開位置にあり、第二部品スレッド１０６が収納位置にある。展開位置では、各部品スレッド１０４、１０６の少なくとも一部がシャーシ１０２の外部にある。
【００２１】
ファンモジュール１１０は、第一部品スレッド１０４の前部に設置される。ファンモジュール１１０は、空気がシャーシ１０２と部品スレッド１０４、１０６との間に通って移動するように、複数のファン１１２または他の冷却装置を収容することができる。１つまたは複数の部品１０８の作動期間において、複数のファン１１２のそれぞれはファンモジュール１１０から取り外されることができる。複数のファン１１２のうちの１つまたは複数のファン１１２の取外しは、電源切断を必要とせず、部品搬送装置１００の維持、修理、または保守を支援することができる。
【００２２】
第一部品スレッド１０４又は第二部品スレッド１０６が展開位置にある時、ファンモジュール１１０がアクセスされることができる。図３に示されるように、第一部品スレッド１０４及び第二部品スレッド１０６がいずれも展開位置にある場合、ファンモジュール１１０はアクセスされることができる。
【００２３】
一部の実施形態では、第二部品スレッド１０６が展開位置に変位されると共に、第一部品スレッド１０４も展開位置に変位される。第一部品スレッド１０４がすでに展開位置にある場合、第二部品スレッド１０６は第一部品スレッド１０４と独立して展開位置と収納位置との間に変位することができる。他の実施形態では、ファンモジュール１００は、第一部品スレッド１０４、第二部品スレッド１０６またはそれらの組合せを用いて、或いは各部品スレッド１０４、１０６と独立して変位可能なスレッドであってもよい。
【００２４】
図４は、ファンモジュール１１０内に収容される複数のファン１１２を有する部品搬送装置１００を示す分解図である。図４に示されるように、ファンモジュール１１０は、８つのファン１１２を有する複数のファンを収容することができる。８つのファン１１２は、シャーシが作動中にそれぞれ取り外されることができる。他の実施形態では、複数のファン１１２は８つ以上またはそれ未満の数、例えば、２つ、３つ、４つまたは任意の数のファンであってもよい。
【００２５】
複数のファン１１２は、プリテンションクリップブラケット（ｐｒｅ−ｔｅｎｓｉｏｎｅｄ  ｃｌｉｐ  ｂｒａｃｋｅｔｓ）などの工具不要機構によりファンモジュール１１０に接続されることができる。それによって、ファン１１２は工具を使わずにファンモジュール１１０に接続され、且つそれから取り外されるため、ファンモジュール１１０の保守を迅速且つ簡単に行うことができる。
【００２６】
図５は、変位可能な（ｔｒａｎｓｉｔｉｏｎａｂｌｅ）ファンモジュール１１０を有する部品搬送装置１００を示す。部品搬送装置１００は、シャーシ１０２に枢転可能に接続されるファンモジュール１１０を有するため、ファンモジュール１１０は第一部品スレッド１０４と、第二部品スレッド１０６とから取り外されることができる。ファンモジュール１１０の変位は、第一部品スレッド１０４及び第二部品スレッド１０６を収納位置から展開位置へ互いに独立に変位させることができる。示された実施例において、ファンモジュール１１０は第一部品スレッド１０４の前縁に対して下方へ変位する。他の実施形態では、ファンモジュール１１０はシャーシ１０２の任意の側壁またはシャーシ１０２の上部表面の前縁に枢転可能に接続されることができる。ファンモジュール１１０は、１つ又は複数のヒンジ１２０、ピン及び受け構成（ｒｅｃｅｉｖｅｒ  ａｒｒａｎｇｅｍｅｎｔ）または任意の公知枢転装置によりシャーシ１０２に枢転可能に接続されることができる。
【００２７】
例示的な実施例及びその利点はこれまでの説明によって理解されるように、ここに説明された実施例は本発明の単なる好適な実施例であり、本発明の趣旨と範囲から逸脱することなく、またはその利点の全てを犠牲にすることなく、種々の変更を加えることが可能であることは明白である。
【符号の説明】
【００２８】
１００    部品搬送装置、
１０２    シャーシ、
１０４    第一部品スレッド、
１０６    第二部品スレッド、
１０８    部品、
１１０    ファンモジュール、
１１２    ファン、
１１４    スレッド自動制御装置、
１１６    電気制御ラッチ部、
１１８    中央ボード、
１２０    ヒンジ。
【図１】
0006375021.tif 000002
【図２】
0006375021.tif 000003
【図３】
0006375021.tif 000004
【図４】
0006375021.tif 000005
【図５】
0006375021.tif 000006